(57)【特許請求の範囲】
【請求項１】
クリップ本体に装飾体を装着してなる筆記具用クリップにおいて、
前記クリップ本体は、両側部のそれぞれに、内部に前端面を有する係止凹部を具備し、
前記装飾体は、前記両係止凹部に嵌め合せられた状態で各係止凹部内の前記前端面に対し後方側から近接又は当接する二つの係止突起と、前記係止突起よりも前方側で前記クリップ本体の前端に対し前方側から近接又は当接する当接部とを有し、前記二つの係止突起の間を弾性的に広げて前記クリップ本体に着脱されるように弾性材料から形成されている筆記具用クリップであって、
前記クリップ本体は、筆記具の軸筒外周面との間で被挟持物を挟むように前方へ延設された挟持片部と、該挟持片部の前端側で軸筒外周面へ向かうように突出した玉部とを具備し、前記玉部を前記装飾体よりも軸筒外周面側へ突出させ、
前記玉部よりも後方側には、前記挟持片部の裏面と前記装飾体の裏面とが略面一に設けられ、
前記装飾体は、前記クリップ本体の前端側に嵌め合せられた状態で、前記挟持片部の前端側における表面と両側面と先端面とを覆うように形成され、
前記係止凹部は、前記玉部よりも後方側で、前記挟持片部の裏面側の縁に沿って長尺状に連続していることを特徴とする筆記具用クリップ。
【請求項２】
前記弾性材料がエラストマー樹脂又は合成ゴムであることを特徴とする請求項１記載の筆記具用クリップ。
【請求項３】
前記係止凹部内の前記前端面は、前方斜め軸筒外周面側へ向かう傾斜前端面であることを特徴とする請求項１又は２記載の筆記具用クリップ。
【請求項４】
前記装飾体は、前記挟持片部の先端面から裏面側にわたって覆い被さって係止されていることを特徴とする請求項１乃至３何れか１項記載の筆記具用クリップ。
【発明の詳細な説明】
【技術分野】
【０００１】
本発明は、筆記具の軸筒外周部に設けられる筆記具用クリップに関し、詳しくはクリップ本体の前端側に装飾体を装着してなる筆記具用クリップに関するものである。
【背景技術】
【０００２】
従来、この種の発明には、例えば、特許文献１に記載されるもののように、クリップ本体（１０）の前端側に、玉部（抜け止め突起１１）を覆うようにして弾性材料からなる装飾体（２０）を嵌め合せ、該装飾体（２０）後端側の２つの係止突起（２３，２３）を、玉部（抜け止め突起１１）の後側に係止することで、装飾体（２０）が前方へ抜けないようにした筆記具用クリップがある。
この従来技術によれば、クリップ本体に後から装飾体を装着したり、予め装着されている装飾体を、他の色やデザインのものに交換したり等することが可能である。
【０００３】
しかしながら、前記従来技術では、装飾体によって玉部を覆うとともに、玉部の後側に前記抜け止め突起を係止する構造であるため、装飾体を付けた状態では、当該筆記具用クリップと軸筒との間に被挟持物（例えば、紙や布等）を挟む際や、挟んだ被挟持物を抜く際等に、被挟持物が装飾体（特に前記抜け止め突起）に干渉して、前記装飾体がずれたり外れたりするおそれがある。
また、装飾体を付けた状態では、玉部が被挟持物に対し直接には接触せずに、装飾体が被挟持物に接触するため、被挟持物を抜き差しする際の使用感が損なわれてしてしまうおそれもある。
【先行技術文献】
【特許文献】
【０００４】
【特許文献１】特開２００２−５２８９３号公報
【発明の概要】
【発明が解決しようとする課題】
【０００５】
本発明は、このような問題に対処することを課題の一例とするものである。すなわち、クリップ本体の裏面側が装飾体によって覆われないようにすること、装飾体が被挟持物に干渉しないようにすること、装飾体が被挟持物との干渉によりずれたりはずれたりしないようにすること、被挟持物を抜き差しする際の使用感が装飾体によって低下するのを防ぐこと等、が本発明の目的である。
【課題を解決するための手段】
【０００６】
上記課題を解決するための一手段は、クリップ本体に装飾体を装着してなる筆記具用クリップにおいて、前記クリップ本体は、両側部のそれぞれに、内部に前端面を有する係止凹部を具備し、前記装飾体は、前記両係止凹部に嵌め合せられた状態で各係止凹部内の前記前端面に対し後方側から近接又は当接する二つの係止突起と、前記係止突起よりも前方側で前記クリップ本体の前端に対し前方側から近接又は当接する当接部とを有し、前記二つの係止突起の間を弾性的に広げて前記クリップ本体に着脱されるように弾性材料から形成されている筆記具用クリップであって、前記クリップ本体は、筆記具の軸筒外周面との間で被挟持物を挟むように前方へ延設された挟持片部と、該挟持片部の前端側で軸筒外周面へ向かうように突出した玉部とを具備し、前記玉部を前記装飾体よりも軸筒外周面側へ突出させ、前記玉部よりも後方側には、前記挟持片部の裏面と前記装飾体の裏面とが略面一に設けられ、前記装飾体は、前記クリップ本体の前端側に嵌め合せられた状態で、前記挟持片部の前端側における表面と両側面と先端面とを覆うように形成され、前記係止凹部は、前記玉部よりも後方側で、前記挟持片部の裏面側の縁に沿って長尺状に連続していることを特徴とする。
【発明の効果】
【０００７】
本発明は、以上説明したように構成されているので、以下に記載されるような作用効果を奏する。
装飾体をクリップ本体の両側部に設けられた係止凹部に嵌め合せるようにしているため、装飾体を玉部に覆い被せたり装飾体を玉部の後側に係止したり等の従来構造を要することなく、装飾体をクリップ本体にしっかりと固定することができる。
【図面の簡単な説明】
【０００８】
【図１】本発明に係る筆記具用クリップの一例を示す側面図である。
【図２】同筆記具用クリップの縦断面図である。
【図３】装飾体の一例を示す断面斜視図である。
【図４】図１における(III)-(III)線断面図である。
【図５】図１における(IV)-(IV)線断面図である。
【図６】本発明に係る筆記具用クリップの他例を示す要部横断面図である。
【図７】本発明に係る筆記具用クリップの他例を示す側面図である。
【図８】図７における(VII)-(VII)線断面図である。
【図９】図７における(VIII)-(VIII)線断面図である。
【発明を実施するための形態】
【０００９】
本発明を実施するための第一の形態では、クリップ本体に装飾体を装着してなる筆記具用クリップにおいて、前記クリップ本体は、両側部のそれぞれに係止凹部を有し、前記装飾体は、前記両係止凹部に嵌め合せられた状態で各係止凹部内の前端面に対し後方側から近接又は当接する二つの係止突起と、前記係止突起よりも前方側で前記クリップ本体の前端に対し前方側から近接又は当接する当接部とを有し、弾性変形することにより前記クリップ本体に着脱されるようにした。
この形態によれば、装飾体の二つの係止突起が、クリップ本体の両側部の係止凹部に嵌まり合うことで、装飾体がクリップ本体に固定される。
【００１０】
また、第二の形態では、前記クリップ本体は、筆記具の軸筒外周面との間で被挟持物を挟むように前方へ延設された挟持片部と、該挟持片部の前端側で軸筒外周面へ向かうように突出した玉部とを具備し、前記玉部を前記装飾体よりも軸筒外周面側へ突出させている。
この形態によれば、装飾体を装着した状態をクリップ本体と軸筒外周面との間に被挟持物を挟む際、装飾体よりも軸筒外周面側へ突出した玉部が被挟持物に対し接触するため、被挟持物が装飾体に干渉するようなことを軽減することができる。
なお、前記「玉部」とは、前記挟持片部の前端側で軸筒外周面側へ向かって突出した部分であればよく、その形状を玉状等に限定するものではない。
【００１１】
また、第三の形態では、前記玉部よりも後方側で、前記挟持片部の裏面と前記装飾体の裏面とを略面一にした。
この形態によれば、挟まれた被挟持物が玉部よりも後方側で干渉するのを防ぐことができ、ひいては、被挟持物を挟持片部と筆記具軸筒外周面との間の奥深くまで挿入して、容易に外れることがないようにすることができる。
【００１２】
また、第四の形態では、前記装飾体は、前方側から前記クリップ本体の前端側に嵌め合せられて、前記挟持片部の前端側における表面と両側面と先端面とを覆うように形成されている。
この形態によれば、装飾体を比較的目立ち易い位置にしっかりと固定することができる。
【００１３】
また、第五の形態では、前記装飾体は、前記玉部よりも前側で、前記挟持片部の裏面側に被さっている。
この形態によれば、装飾体の先端側が軸筒径方向へ引っ張られて外れてしまうようなことを防ぐことができる。
【００１４】
また、第六の形態は、前記係止凹部は、前記玉部よりも後方側で、前記挟持片部の裏面側の縁に沿って長尺状に連続している。
この形態によれば、装飾体の係止突起を玉部よりも後方側で挟持片部の係止凹部に係止するようにしているため、被挟持物が玉部に干渉するようなことを効果的に防ぐことができる。しかも、係止凹部を長尺状に形成しているため、前後方向へ長さの異なる様々な大きさの装飾体を、容易に装着することができる。
【００１５】
また、第七の形態では、前記係止凹部内の前記前端面は、前方斜め軸筒外周面側へ向かう傾斜前端面とした（図１参照）。
この形態によれば、装着された装飾体を前方へ外す際に、該装飾体の係止突起が傾斜前端面に乗り上がるため、その作業を容易に行うことができる。
【００１６】
また、第八の形態では、前記係止凹部は、前記玉部の両側面に設ける。
この形態によれば、他の部位に比較して軸筒径方向の断面積が広い玉部の側面に係止凹部を設けるようにしているため、装飾体と係止凹部との嵌合部分の断面積を比較的大きく確保して、装飾体をしっかりと装着することができる（図７〜９参照）。
【００１７】
以下、上記形態の特に好ましい実施例を、図面に基づいて詳細に説明する。
【実施例】
【００１８】
図１〜５は、本発明に係る筆記具用クリップの一例を示す。
この筆記具用クリップ１は、筆記具の軸筒ａに装着可能なクリップ本体１０と、該クリップ本体１０に対し着脱可能に装着される装飾体２０とから構成される。
【００１９】
クリップ本体１０は、筆記具の軸筒ａの後端側に装着される装着部１１と、装着部１１の外周部から突出した支持部１２と、支持部１２の突端側から前方へ延設された挟持片部１３と、挟持片部１３の前端側で軸筒外周面へ向かうように突出した玉部１４とから構成される。
【００２０】
装着部１１は、図示例によれば、筆記具の軸筒ａ後端側に環状に装着可能な筒状に形成される（図１及び図２参照）。図２中、符号１１ａは、装着部１１の内周面から軸筒中心方向へ突出して軸筒ａに嵌り合い、装着部１１が軸筒ａに対し回転しないようにする縦リブである。同図２中、符号１１ｂ，１１ｃは、軸筒ａの外周面に嵌合させるための環状突起である。
【００２１】
支持部１２は、装着部１１の外周面から径方向の外側へ突出する突起であり、後述する挟持片部１３を、片持ち梁状に支持している。この支持部１２の後端側には、ストラップ等の紐状部材（図示せず）を通すための貫通孔１２ａが設けられている。
【００２２】
挟持片部１３は、装着部１１の軸心と略平行になるように、支持部１２の突端側から前方へ延設された長尺片状の部位である。
この挟持片部１３は、図５に例示するように、略板状の横断面形状を呈し、その裏面側の両縁に沿うようにして、前後方向へ連続する長尺状の係止凹部１３ａを有する。
この係止凹部１３ａは、挟持片部１３の裏面側の縁側に配置され、側方（図５によれば右方向又は左方向）と軸筒外周面方向（図５によれば下方向）とを開放した横断面逆Ｌ字切欠状の溝であり、後述する玉部１４よりも後側において支持部１２まで長尺状に連続している。
この係止凹部１３ａ内の前端には、装着された装飾体２０を必要に応じて外せるように、前方斜め軸筒外周面側（図１によれば左斜め下側）へ傾斜する傾斜前端面１３ａ１が形成される。
【００２３】
また、挟持片部１３の前端部は、後述する装飾体２０の開口部２２ａに挿入され易いように、平面視略半円状に形成される。
この挟持片部１３の前端部の裏面側には、後述する装飾体２０の当接部２２ｂ２によって覆い被されて係止されるように、Ｒ面取り状の被係止部１３ｂ（図１参照）が形成されている。
【００２４】
玉部１４は、挟持片部１３の前端側の裏面から筆記具の軸筒外周面へ向かって突出する突起である。この玉部１４の前端には、被挟持物（図示せず）を挟持片部１３と軸筒ａとの間に挿通させ易いように、軸筒ａ側へ突出するとともに斜め後方へ（図１によれば右斜め下方へ）傾斜する傾斜面１４ａを有する。また、同玉部１４の後端には、軸筒ａ側へ突出するとともに斜め前方へ（図１によれば左斜め下方へ）傾斜する傾斜面１４ｂを有する。この傾斜面１４ｂは、被挟持物が安易に抜けることなく且つ必要に応じて容易に抜けるように、前記傾斜面１４ａよりも急な勾配に形成されている。
そして、玉部１４の突端面１４ｃは、軸筒ａの軸心と略平行するように、軸方向へわたる断面略直線状に形成される。
また、玉部１４の両側面の各々には、側面視逆台形状の有底穴１４ｄが設けられる。この有底穴１４ｄは、後述する他の実施例（図７〜９）では、装飾体２０を係止するための係止凹部として作用する。
この玉部１４の突出量は、該玉部１４が後述する装飾体２０よりも軸筒外周面側へ突出するように適宜に設定されている。
【００２５】
また、装飾体２０は、エラストマー樹脂や合成ゴム等の弾性材料から一体に成形され、クリップ本体１０の表部から隆起するように設けられる装飾部２１と、該装飾部２１から軸筒外周面側へ突出して装飾体２０に装着される装着部２２とを有する。
【００２６】
装飾部２１は、図示例によれば、挟持片部１３の前端側の表面に沿うとともに、挟持片部１３前端よりも前方へ突出した略板状に形成されている。この装飾部２１は、必要に応じて、例えばマスコット形状等、図示例以外の形状に形成され、着色される。
【００２７】
装着部２２は、装飾部２１の裏面から略直方体状に突出して挟持片部１３の前端側における表面と両側面と先端面とを覆うとともに、挟持片部１３裏面の略全部（詳細には、各係止凹部１３ａの前端側の一部分と、挟持片部１３の最前端側の一部分とを除く範囲）を露出している。この装着部２２の内部には、挟持片部１３の前端側を挿入するための挿入空間Ｓが設けられる（図３参照）。
挿入空間Ｓは、前方側（図１によれば左方向側）、両側方側及び表部側（図１によれば装飾部２１を有する上側）を閉鎖するとともに、裏部側（図１によれば下側）及び後方側（図１によれば右方向側）を開放した空間である。
装着部２２の後端には、挿入空間Ｓへ向かって挟持片部１３を挿入するための開口部２２ａが形成される（図３参照）。この開口部２２ａは、挟持片部１３における玉部１４よりも後側の部分の横断面形状と略同形状に形成される。
また、装着部２２の裏面２０ａには、玉部１４を軸筒ａ表面側へ突出し露出するための開口部２２ｂが形成される。この開口部２２ｂの最大幅ｗ１（図４参照）は、玉部１４の幅よりも広く設定され、開口部２２ｂは、玉部１４の略全体を露出させている。
そして、この開口部２２ｂの後端側の両縁には、幅方向の両側から幅方向中央へ向かうように二つの係止突起２２ｂ１，２２ｂ１が突出している。
【００２８】
二つの係止突起２２ｂ１，２２ｂ１は、互いに対向する突起であり、装飾体２０がクリップ本体１０に装着された状態で、挟持片部１３の両係止凹部１３ａに嵌り合うとともに、各係止突起２２ｂ１の前端面２２ｂ１１を、各係止凹部１３ａ内の傾斜前端面１３ａ１に対し後方側から近接又は当接させる。
二つの係止突起２２ｂ１，２２ｂ１間の幅ｗ２（図４参照）は、挟持片部１３の両係止凹部１３ａ，１３ａにおける底部間の幅（両係止凹部１３ａ，１３ａ間の最小幅）と略同等であり、この幅は、玉部１４の幅よりも広く設定される。
そして、これら係止突起２２ｂ１，２２ｂ１の係止位置は、玉部１４よりも後側とされる。
また、各係止突起２２ｂ１の前端面２２ｂ１１（図３参照）は、挟持片部１３における係止凹部１３ａ内の傾斜前端面１３ａ１（図１参照）に倣うようにして傾斜している。
【００２９】
また、装着部２２の開口部２２ｂ内の前端には、クリップ本体１０における挟持片部１３の前端に対し前方側から近接又は当接する当接部２２ｂ２が設けられる（図３参照）。この当接部２２ｂ２は、挟持片部１３の前端部形状にならう凹状の面である。この当接部２２ｂ２の開口端側（裏面２０ａ側）には、挟持片部１３前端裏面側の被係止部１３ｂ（図１参照）に被さるように突出する係止部２２ｂ２１（図３参照）が設けられる。
【００３０】
上記構成の装飾体２０は、玉部１４が被挟持物に干渉し難く且つ意匠性が良好なように、装着部２２の裏面２０ａを、挟持片部１３の裏面と略面一にしている（図５参照）。
【００３１】
次に、上記構成の筆記具用クリップ１の製造方法について説明する。
先ず、図１に示すように、装飾体２０を、クリップ本体１０の挟持片部１３に対し、その前方側から被せるようにして後方へ移動する。すると、装飾体２０後端の開口部２２ａ（図３参照）に、挟持片部１３の前端部が押し付けられることで、装飾体２０の係止突起２２ｂ１，２２ｂ１間（図４参照）が弾性的に広がる。
後方への前記移動をさらに継続すると、装飾体２０の係止突起２２ｂ１，２２ｂ１がそれぞれ両係止凹部１３ａ，１３ａに嵌り込み、同装飾体２０内の当接部２２ｂ２（図３参照）が挟持片部１３の前端部に近接又は当接するともに、該当接部２２ｂ２の係止部２２ｂ２１が挟持片部１３前端の被係止部１３ｂ（図１参照）に被さるようにして係止される。
【００３２】
この装着状態では、装飾体２０の当接部２２ｂ２（図３参照）が挟持片部１３の前端部に近接又は当接し、同装飾体２０の係止突起２２ｂ１，２２ｂ１の前端部が、両係止凹部１３ａ，１３ａ内の傾斜前端面１３ａ１（図１参照）に近接又は当接するため、装飾体２０はクリップ本体１０に対し前後方向へ移動しなくなる。
また、玉部１４よりも前方側で、装飾体２０の係止部２２ｂ２１（図３参照）が挟持片部１３前端の被係止部１３ｂ（図１参照）に被さるようにして係止され、且つ、玉部１４よりも後方側で、装飾体２０の両係止突起２２ｂ１，２２ｂ１が両係止凹部１３ａ，１３ａに嵌り合うため、装飾体２０が軸筒径方向の外側へ引っ張られたとしても、装飾体２０が容易に外れることはない。
また、玉部１４が装飾体２０の裏面２０ａよりも軸筒外周面側へ突出するため、玉部１４と筆記具の軸筒ａとの間に被挟持物（例えば、紙や布等）を挟む際や、挟んだ被挟持物を抜く際等に、被挟持物が装飾体２０に擦れたり引っ掛かったりするのに起因して、装飾体２０のずれや脱落を生じたり、使用感を損ねたりすることがない。
【００３３】
また、装飾体２０を外したり異なるデザインのものに交換したりする場合には、前記と逆の動作によって装飾体２０の係止突起２２ｂ１，２２ｂ１を弾性変形させればよい。
詳細に説明すれば、装着された装飾体２０をクリップ本体１０に対し前方へやや強く引っ張れば、該装飾体２０の係止突起２２ｂ１が、傾斜前端面１３ａ１に乗り上がるようにして弾性変形して係止凹部１３ａから外れるため、装飾体２０を容易に外すことができる。
【００３４】
なお、上記実施例によれば、玉部１４が被挟持物に干渉し難く且つ意匠性が良好なように、装飾体２０の裏面２０ａを挟持片部１３の裏面と略面一にしたが（図５参照）、他例としては、装飾体２０の裏面２０ａを挟持片部１３の裏面よりも没入させてより被挟持物に干渉し難くすることも可能である。
【００３５】
さらに、他例としては、玉部１４よりも後方側において、図６に示す筆記具用クリップ２のように、装飾体２０の裏面２０ａを、挟持片部１３の裏面よりも軸筒外周面側へ突出させるとともに、挟持片部１３の裏面に部分的に覆い被せるようにすることも可能である。この態様によれば、装飾体２０における玉部１４よりも後方側の部分が、軸筒径方向の外側に引っ張られて、装飾体２０が外れてしまうようなことを、より効果的に防止することができる。なお、図６の軸方向の断面位置は、図５と同様である。
【００３６】
次に、図７〜９に示す筆記具用クリップ３について説明する。なお、筆記具用クリップ３は、上記筆記具用クリップ１の構成を一部変更したものであるため、主に、その変更部分について詳細に説明し、上記筆記具用クリップ１と略同様の箇所については重複する詳細説明を省略する。
【００３７】
この筆記具用クリップ３は、筆記具の軸筒ａに装着可能なクリップ本体１０と、該クリップ本体１０に対し着脱可能に装着される装飾体２０’とから構成される。
【００３８】
クリップ本体１０は、上記筆記具用クリップ１に用いたものと同一である。筆記具用クリップ３においては、クリップ本体１０における玉部１４の両側面の有底穴１４ｄ，１４ｄを、装飾体２０’を係止するための係止凹部として用いている。
【００３９】
装飾体２０’は、上記装飾体２０に対し、装着部２２を装着部２２’に置換した構成とされる。
装着部２２’は、装飾部２１の裏面から略直方体状に突出して挟持片部１３の前端側及び玉部１４の上半部における表面と両側面と先端面とを覆うように形成され、内部には、挟持片部１３の前端側を挿入するための挿入空間を有するとともに、該挿入空間の前端面を、挟持片部１３の前端に対し前方側から近接又は当接する当接部２２ｃ’（図８参照）としている。
【００４０】
装着部２２’の裏面２２ａ’側には、玉部１４の有底穴１４ｄ（係止凹部）に係止するための、対向する二つの係止突起２２ｂ’，２２ｂ’が設けられる（図９参照）。
二つの係止突起２２ｂ’，２２ｂ’は、挟持片部１３の両有底穴１４ｄ，１４ｄの上半部側に嵌り合うとともに、各係止突起２２ｂ’の前端面を、各有底穴１４ｄ内の前端面に対し後方側から近接又は当接させる。
【００４１】
よって、この筆記具用クリップ３によれば、上記筆記具用クリップ１と略同様に、クリップ本体１０の前方側から容易に装飾体２０’を装着できる上、着脱も容易である。
そして、装着状態の装飾体２０’は、挟持片部１３の前端側における表面と両側面と先端面とを覆うとともに、両係止突起２２ｂ’，２２ｂ’を、玉部１４の両有底穴１４ｄ，１４ｄ（係止凹部）内の上半部に嵌め合せているため、前後方向及び軸筒径方向へ移動しないように固定される。
また、玉部１４が装飾体２０’の裏面２２ａ’よりも軸筒外周面側へ突出するため、玉部１４と筆記具の軸筒ａとの間に被挟持物を挟む際や、挟んだ被挟持物を抜く際等に、被挟持物が装飾体２０’に擦れたり引っ掛かったりして、装飾体２０’のずれや脱落を生じたり、使用感を損ねたりするようなことを軽減することができる。
【００４２】
なお、上記筆記具用クリップ３によれば、係止突起２２ｂ’を玉部１４の有底穴１４ｄの上半部に嵌め合せたが、他例としては、係止突起２２ｂ’を有底穴１４ｄ全体に嵌め合せるようにすることも可能である。
また、他例としては、上記筆記具用クリップ３に対し、上記装飾体２０における係止突起２２ｂ１，２２ｂ１を付加して、装飾体２０’が、有底穴１４ｄと係止凹部１３ａの二箇所で係止される構造とすることも可能である。
【符号の説明】
【００４３】
１，２，３：筆記具用クリップ        １０：クリップ本体
１３：挟持片部                      １３ａ：係止凹部
１３ａ１：傾斜前端面                １３ｂ：被係止部
１４：玉部                          １４ｄ：有底穴（係止凹部）
２０，２０’：装飾体                  ２１：装飾部
２２，２２’：装着部                  ２２ｂ１：係止突起
２２ｂ１１：前端面                  ２２ｂ２：当接部
２２ｂ２１：係止部
【図１】
0005968619.tif 000002
【図２】
0005968619.tif 000003
【図３】
0005968619.tif 000004
【図４】
0005968619.tif 000005
【図５】
0005968619.tif 000006
【図６】
0005968619.tif 000007
【図７】
0005968619.tif 000008
【図８】
0005968619.tif 000009
【図９】
0005968619.tif 000010